(57)【特許請求の範囲】
【請求項１】
選択発光が可能な複数の放電セルをそれぞれ有した複数のガス放電表示管からなる表示装置の駆動方法であって、
前記複数のガス放電表示管のそれぞれにおいて、複数の放電セルにわたって放電ガス空間が連続しており、且つ、各放電セルは、第１電極、前記第１電極と隣り合う第２電極、前記第２電極と放電ガス空間を介して対向する第３電極、前記第１電極および前記第２電極と前記放電ガス空間との間に介在する第１の絶縁体、および前記第３電極と前記放電ガス空間との間に介在する第２の絶縁体を有し、かつ前記第３電極と前記第２電極との間の放電開始電圧が前記第１電極と前記第２電極との間の放電開始電圧よりも高いという構造的特徴を備えるものであり、
点灯すべき放電セルにおける第１の絶縁体に必要量の壁電荷が蓄積した状態を形成するアドレッシング、点灯すべき放電セルにおける第１電極と第２電極との間で放電を生じさせるサステイン、および全ての放電セルにおける第１の絶縁体の壁電荷を初期化するリセットを行い、
前記アドレッシングにおいて、点灯すべき放電セルまたは点灯すべきでない放電セルの第２電極と第３電極との間で当該第３電極を陽極とする放電を生じさせ、
前記サステインにおいて、第３電極の電位を第１電極と第２電極との間での放電における陽極の電位よりも低く且つ第１電極および第２電極と当該第３電極との間で放電の生じない電位とし、
前記リセットにおいて、前記第２電極と前記第３電極との間では放電を生じさせずに、第１電極と第２電極との間で放電を生じさせる
ことを特徴とする表示装置の駆動方法。
【請求項２】
前記サステインにおいて、全ての前記放電セルにおける第３電極の電位を常に第１電極と第２電極との間での放電における陰極の電位と同じにする
請求項１記載の表示装置の駆動方法。
【請求項３】
前記サステインにおいて、第１電極に対するパルス印加に同期させて第３電極に当該第１電極と第３電極との間の電位差を低減するパルスを印加する
請求項２記載の表示装置の駆動方法。
【請求項４】
前記サステインにおいて、放電の回数に係わらず最後の放電の陽極を第１電極とする
請求項１ないし請求項３のいずれかに記載の表示装置の駆動方法。
【請求項５】
前記リセットにおいて、全ての前記放電セルにおける第３電極を、当該第３電極と第２電極との間の電位差を低減するようにバイアスする
請求項１ないし請求項４のいずれかに記載の表示装置の駆動方法。
【請求項６】
前記アドレッシングにおいて、点灯すべき放電セルまたは点灯すべきでない放電セルの第３電極に正極性のアドレスパルスを印加し、
前記リセットにおいて、全ての放電セルにおける第３電極のバイアス電圧が、前記アドレスパルスの波高値と同一である
請求項５記載の表示装置の駆動方法。
【発明の詳細な説明】
【技術分野】
【０００１】
本発明は、選択発光が可能な複数の放電セルを有したガス放電表示デバイスの駆動方法に関する。ガス放電表示デバイスには、表示管、複数の表示管からなる表示装置、およびプラズマディスプレイパネルが含まれる。
【背景技術】
【０００２】
カラー表示に用いられる３電極面放電型のプラズマディスプレイパネルは、放電ガス空間を介して対向する一対の基板、第１の基板に配列された表示電極、表示電極を被覆する誘電体層と保護膜、放電ガス空間を区画する隔壁、第２の基板に配列されたアドレス電極、およびアドレス電極を被覆するカラー表示のための蛍光体層を有する。画面を構成する放電セルのそれぞれにおいて、一対の表示電極（第１電極および第２電極）が放電ガス空間の前面側または背面側で面放電ギャップを隔てて隣り合い、表示電極対とアドレス電極（第３電極）とが放電ガス空間を介して対向する。【０００３】
プラズマディスプレイパネルの量産においては、誘電体層の厚さおよび隔壁の高さに制約がある。表示放電における駆動電圧の低減の上では、誘電体層を薄くするのが望ましい。誘電体層が薄いほど表示電極間の面放電が起こり易く駆動電圧を低くすることができるからである。しかし、誘電体層を薄くすると、放電電流が大きくなるので、発光効率が低下するとともに発熱量が増える。さらに、絶縁破壊を防ぐために気泡の少ない良質の誘電体層が要求される。一方、高精細でかつ発光効率の高い画面を得る上では、隔壁を高くするのが望ましい。隔壁が高いほど、放電ガス空間が広くなって励起効率が高まるとともに、蛍光体の配置面積が増大するからである。しかし、隔壁を高くするほど、形成段階において欠けや窪みといった欠陥が生じ易くなり、歩留まりが低下する。【０００４】
このような制約の下で設計されるプラズマディスプレイパネルは、必然的に表示電極間の面放電開始電圧が表示電極とアドレス電極との間の対向放電開始電圧よりも高いという構造上の特徴をもつ。具体的には、誘電体層の厚さが３０μｍであって、隔壁の高さが１４０μｍであるとき、面放電開始電圧が２４０Ｖ程度で対向放電開始電圧が１８０Ｖ程度である。なお、誘電体層を薄くして面放電開始電圧を下げても、隔壁を高くしなければ誘電体層が薄くなる分だけ表示電極とアドレス電極とが近づくので、対向放電開始電圧も下がり、面放電開始電圧が対向放電開始電圧よりも高いという上述の関係は保たれる。【０００５】
プラズマディスプレイパネルの駆動においては、フレームを複数のサブフレームに置き換えるサブフレーム法が適用され、通常はサブフレームごとにリセットとアドレッシングとサステインとが行われる。リセットは全ての放電セル（以下、セルという）における誘電体層の帯電状態を初期化するプロセスであり、アドレッシングは各セルの誘電体層の帯電状態を該当するサブフレームデータに応じて２値設定するプロセスである。そして、サステインは、所定量の壁電荷を有する状態とされた点灯すべきセルで設定回数の放電を起こすプロセスである。【０００６】
アドレッシングでは、表示電極対の一方（第２電極）がマトリクス表示の行を選択するスキャン電極とされ、アドレス電極が選択行の放電セルに２値情報を与えるデータ電極とされる。選択行の表示電極と選択列のアドレス電極との間でアドレス放電を起こし、選択セルの壁電荷を制御する。【０００７】
アドレス放電を起こすにあたって、表示電極とアドレス電極の電極間には表示電極が陰極となるように電圧が印加される。その理由は、表示電極を覆う誘電体層の保護膜がアドレス電極を覆う蛍光体層と比べて２次電子放出係数の大きい材料で構成され、表示電極が陰極であるときの放電開始電圧が陽極であるときの放電開始電圧よりも低いからである。【０００８】
アドレス放電に先立って、陽極であるアドレス電極の側に正極性の壁電荷を形成するのが好ましい。壁電圧が駆動電圧に重畳して放電を起こり易くするので、駆動電圧マージンが広がってアドレッシングの信頼性が高まる。より高速のアドレッシングが可能になる。【０００９】
これらのことから、従来のプラズマディスプレイパネルによる表示には、アドレッシングの前処理であるリセットにアドレス電極側の電荷形成を含める駆動方法が適用される。すなわち、従来のプラズマディスプレイパネルの駆動方法は、リセット期間において、サステインに係わる誘電体層の壁電荷を初期化するために全セルの表示電極間で放電を起こすとともに、アドレス電極と表示電極との電極間でアドレス電極を陰極とする放電を積極的に起こす。【００１０】
一方、プラズマディスプレイパネルよりもさらに大画面化に適したガス放電表示デバイスとして、並列配置された多数のガス放電表示管からなる３電極面放電構造の表示装置が知られている。特開２００３−６８２１４号公報に記載されたこの種の表示装置は、電極をもたない多数の細い表示管と、表示管群の前後に配置された電極支持板とからなる。表示管は、前後面が平坦な筒状であり、前後面に当接する電極支持板の電極群によって複数の放電セル（以下、セルという）が画定される構造をもつ。各表示管において、複数のセルは管の軸方向に並び、マトリクス表示の１列に対応する。【００１１】
表示管は大画面化のみならず発光効率の向上にも適している。表示管では、外囲器であるガラス管の大径化し、それによって各セルに十分に広い放電ガス空間を設けることが容易である。つまり、プラズマディスプレイパネルにおける上述した隔壁高さの制約が表示管にはない。例えば、内径０．８ｍｍのガラス管を用いれば、放電ガス空間の前後方向の長さはプラズマディスプレイパネルの４倍以上となる。【００１２】
表示管の構造設計に際して、放電ガス空間を前後方向に広げるほど、対向放電開始電圧が高くなる。典型的なプラズマディスプレイパネルと比べて十分に広い放電ガス空間をもった表示管は、面放電開始電圧よりも対向放電開始電圧が高いという構造上の特徴を備える。
【特許文献１】特開２００３−６８２１４号公報
【非特許文献１】K. Sakita et al. “Analysis ofCell Operation at Address Period Using Wall Voltage Transfer Function inThree-electrode Surface-Discharge AC-PDPs” IDW’01 , pp. 841-844,2001.
【発明の開示】
【発明が解決しようとする課題】
【００１３】
リセット期間においてアドレス電極上に正電荷を形成する従来の駆動方法を、面放電開始電圧よりも対向放電開始電圧が高い表示デバイスに適用すると、背景発光によるコントラストの低下、および放電拡散による駆動電圧マージンの縮小が顕在化する。これは次の理由に因る。【００１４】
アドレッシングではアドレス電極が陽極であるのに対し、リセットではアドレス電極が陰極である。しかし、アドレス電極を正極性および負極性の電位にバイアスするには複雑で高価なドライバ回路が必要であるので、アドレス電極のバイアスは正負のどちらかであるのが望ましい。アドレッシングではアドレス電極およびスキャン電極の双方に対するパルス印加が必須であるので、アドレス電極には正極性パスルを印加する。したがって、リセットではスキャン電極をアドレス電極に対して陽極となるようにバイアスする。このときのバイアス電圧は対向放電開始電圧よりも高くなければならない。面放電開始電圧よりも対向放電開始電圧が高い表示デバイスでは、スキャン電極のバイアスによって、表示電極間に面放電開始電圧を大幅に超える電圧が加わる。その結果、背景発光や放電拡散を招くような過度に強い放電が起こる。【００１５】
本発明は、対向放電開始電圧が面放電開始電圧よりも高い３電極面放電構造を有した表示デバイスによって、コントラストが良好でかつ安定した表示を実現することを目的とする。
【課題を解決するための手段】
【００１６】
本発明においては、アドレッシングの低電圧化に貢献する電荷の形成を、面放電電極対の近傍における帯電状態の初期化と時間的に切り離して実施する。最後に実施されたアドレッシングによる設定の解除である帯電状態の初期化を開始する以前に、当該初期化に続くアドレッシングのための正電荷を対向電極間に形成し、形成された正電荷を消失させないように初期化を実施する。【００１７】
本発明は、複数の放電セルを有したガス放電表示デバイスに適用され、その各放電セルは、第１電極、前記第１電極と隣り合う第２電極、前記第２電極と放電ガス空間を介して対向する第３電極、前記第１電極および前記第２電極と前記放電ガス空間との間に介在する第１の絶縁体、および前記第３電極と前記放電ガス空間との間に介在する第２の絶縁体を有し、かつ少なくとも前記第３電極を陰極とするときの当該第３電極と前記第２電極との間の放電開始電圧が、前記第１電極と前記第２電極との間の放電開始電圧よりも高いという構造的特徴を備えるものであり、点灯すべき放電セルにおける第１の絶縁体に必要量の壁電荷が蓄積した状態を形成するアドレッシング、点灯すべき放電セルにおける第１電極と第２電極との間で放電を生じさせるサステイン、および全ての放電セルにおける第１の絶縁体の壁電荷を初期化するリセットを行い、前記アドレッシングにおいて、点灯すべき放電セルまたは点灯すべきでない放電セルの第２電極と第３電極との間で当該第３電極を陽極とする放電を生じさせ、前記サステインにおいて、全ての放電セルにおける第２の絶縁体に正極性の壁電荷を蓄積させ、前記リセットにおいて、前記第２電極と前記第３電極との間では放電を生じさせずに、第１電極と第２電極との間で放電を生じさせることを特徴とする。本発明の適用において、前記第３電極を陽極とするときの当該第３電極と前記第２電極との間の放電開始電圧が、前記第１電極と前記第２電極との間の放電開始電圧よりも高いガス放電表示デバイスも対象に含まれる。
【発明の効果】
【００１８】
本発明によれば、対向放電開始電圧が面放電開始電圧よりも高い３電極面放電構造を有した表示デバイスによって、コントラストが良好でかつ安定した表示を実現することができる。
【図面の簡単な説明】
【００１９】
【図１】本発明に係る表示装置の全体構成の概略を示す図である。
【図２】表示装置の要部の構造を示す図である。
【図３】放電セル構造を示す図である。
【図４】本発明の駆動過程の概念を示す図である。
【図５】駆動電圧波形の一例を示す図である。
【図６】駆動電圧波形の変形例を示す図である。
【図７】プラズマディスプレイパネルの一例を示す図である。
【発明を実施するための最良の形態】
【００２０】
図１は本発明に係る表示装置の全体構成の概略を示す。表示装置１は、並列配置されたガス放電表示管３，４，５、透光性をもつ前面側の電極支持板１０、および背面側の電極支持板２０からなる。電極支持板１０には多数のガス放電表示管３，４，５の全てに跨る長さをもつ第１電極１１および第２電極１２が配列され、電極支持板２０にはガス放電表示管３，４，５のそれぞれの全長にわたる長さをもつ第３電極１３が配列されている。ガス放電表示管３，４，５のそれぞれに１本の第３電極１３が対応する。【００２１】
図２は表示装置の要部の構造を示す。ガス放電表示管３，４，５は、前後面が平坦なガラス管３１を外囲器とする長さが約１ｍで幅が約１ｍｍの細い筒状の表示デバイスであり、発光色を決める蛍光体３６，４６，５６の材質を除いて同じ構造をもつ。ガラス管３１は誘電体として機能し、その内面には２次電子放出材料であるマグネシアが被着されている。ガラス管３１の内面における前面側平坦部を覆わないように背面側に偏在させる形態で蛍光体３６，４６，５６が配置されている。ガス放電表示管３に配置された蛍光体３６の発光色は赤色（Ｒ）であり、ガス放電表示管４に配置された蛍光体４６の発光色は緑色（Ｇ）であり、ガス放電表示管５に配置された蛍光体５６の発光色は青色（Ｂ）である。ガラス管３１には蛍光体３６，４６，５６に対する紫外線励起のための放電ガスが封入されている。ガス放電表示管３，４，５のそれぞれにおいて軸方向に並ぶ複数の放電セル（以下、セルという）３０，４０，５０が形成される。これらセル３０，４０，５０の位置は、電極支持板１０の第１電極１１および第２電極１２によって画定される。【００２２】
図３は放電セル構造を示す。上述のとおりセル３０，４０，５０の基本構成は同一であるので、ここでは代表としてガス放電表示管３のセル３０を図示してある。【００２３】
セル３０の構造は、典型的なプラズマディスプレイパネルに類似した３電極面放電構造である。放電ガス空間３５の前面側で第１電極１１および第２電極１２が隣り合い、面放電６１のための電極対（面放電電極対）を構成する。面放電電極対と放電ガス空間３５との間には、ガラス管３１とマグネシア膜３２からなる第１の絶縁体３３が存在する。第１の絶縁体３３の厚さは約１００μｍである。放電ガス空間３５の背面側では、第３電極１３が面放電電極対と交差する方向に延びる。第３電極１３は放電ガス空間３５を介して面放電電極対と対向する。面放電電極対における第２電極１２がスキャン電極であり、第２電極１２と第３電極１３とが対向放電６２のための電極対（対向放電電極対）を構成する。第３電極１３と放電ガス空間３５との間には、ガラス管３１とマグネシア膜３２と蛍光体３６とからなる第２の絶縁体３４が存在する。なお、マグネシア膜３２をガラス管３１の内面における面放電電極対の側のみに設けてもよく、そのようにした場合は第２の絶縁体３４はガラス管３１と蛍光体３６とからなる。【００２４】
セル３０においては、放電ガス空間３５の前後方向の長さが３００μｍ以上であって、面放電開始電圧（Ｖｆ１）よりも対向放電開始電圧（Ｖｆ２）が高いという構造上の特徴がある。具体的には、面放電開始電圧（Ｖｆ１）が３００ボルト〜３１０ボルト程度であるのに対し、対向放電開始電圧（Ｖｆ２）は３５０ボルト〜４００ボルトである。ここでの対向放電開始電圧（Ｖｆ２）は、第３電極１３が陰極になる対向放電の開始電圧であり、第３電極１３が陽極になる対向放電の開始電圧（Ｖｆ３）よりも高い。Ｖｆ２とＶｆ３とが異なるのは、第３電極１３が陽極になる場合には前面側のマグネシア膜３２の２次電子放出作用が効果的に作用するからである。なお、第３電極１３と第２電極１２とに交流電圧パルスを印加して放電開始電圧を測定する場合は、放電開始電圧はほぼＶｆ２とＶｆ３の平均値になる。【００２５】
Ｖｆ２＞Ｖｆ１であれば、Ｖｆ３＞Ｖｆ１でもＶｆ３≦Ｖｆ１でもよい。ただし、Ｖｆ３＞Ｖｆ２が成り立つ構造のデバイスの場合には、Ｖｆ３＞Ｖｆ２＞Ｖｆ１も成り立つ必要がある。【００２６】
以上の構成の表示装置１において、サブフレーム法の適用によってプラズマディスプレイパネルと同様のフルカラー表示を行うことができる。フレームは輝度の重み付けがなされた複数のサブフレームに置き換えられ、各サブフレームにリセット期間とアドレス期間とサステイン期間とが割り当てられる。このような駆動シーケンスは広く知られているので、ここでは説明を簡略にする。リセット期間では、アドレッシングの準備として、全てのセルにおける第１の絶縁体３３の帯電状態を初期化する。つまり、直前のサステインで点灯したセルと点灯しなかったセルとの帯電状態の差異をなくす。アドレス期間では、第１の絶縁体３３の壁電荷をサブフレームデータに応じて制御し、次のサステインで点灯すべきセルの面放電電極対に所定の壁電圧を発生させる。そして、サステイン期間では、点灯すべきセルで輝度重みに応じた回数の放電を起こす。【００２７】
図４は本発明の駆動過程の概念を示す。本発明を適用した駆動シーケンスにおける特徴は、サステインにおいて第２の絶縁体３４に正電荷を形成し、形成された正電荷を消失させないようにリセットを行うことである。【００２８】
図４（Ａ）はサステイン終了時における点灯セルの帯電状態を示す。サステイン期間中は第１電極１１と第２電極１２との間で面放電が起こるごとに第１の絶縁体３３における壁電荷の極性が反転する。サステイン期間中に第３電極１３の電位を面放電における陽極の電位よりも低くすれば、対向放電が起こらなくても空間電荷が第３電極１３に引き寄せられて第２の絶縁体３４に正電荷が蓄積する。【００２９】
図４（Ｂ）はリセットにおけるセルの帯電状態を示す。リセット期間では、全てのセルで強制的に面放電を起こす。そのとき、対向放電が起きないように３つの電極間の電圧を制御する。面放電の影響で多少の変化はあるものの、サステイン期間に第２の絶縁体３４に形成された正電荷が残る。【００３０】
図４（Ｃ）はアドレッシングにおけるセルの帯電状態を示し、図４（Ｄ）はアドレッシング終了時の点灯すべきセルの帯電状態を示す。例えば書込み形式のアドレッシングの場合には、サステイン期間に点灯すべきセルにおいて、アドレス期間に第３電極１３が陽極で第２電極１２が陰極となる対向放電を起こす。その対向放電がトリーガーとなって面放電が起きる。このとき、第２の絶縁体３４の正電荷が対向放電を起こすための駆動電圧の低圧化に寄与する。【００３１】
本発明の駆動方法の実施に際しては、上述の特徴を実現し得る範囲内で任意の駆動波形を適用することができる。ただし、リセットについては微小放電による精密な電荷調整が可能なことで知られるランプ波の組み合わせの適用が好ましい。【００３２】
図５は駆動電圧波形の一例を示す。上述の駆動シーケンスの繰り返すとき、リセットをアドレッシングの前処理とみることもサステインの後処理とみることができる。ここでは、便宜的にリセットを後処理とみる。【００３３】
ｎ番目のサブフレームに割り当てられたアドレス期間ＴＡにおいて、全ての第１電極１１を電位Ｖｘａに、全ての第２電極１２を電位Ｖｙｈにバイアスする。これによって全てのセルが半選択される。選択行に対応した１本の第２電極１２に波高値Ｖｓｃのスキャンパスルを印加し、当該第２電極１２を一時的に選択電位Ｖｙにバイアスする。この行選択に同期させて、選択列に対応した第３電極１３にアドレスパルスを印加し、当該第３電極１３を一時的にアドレス電位Ｖａにバイアスする。第２電極１２および第３電極１３のバイアスによって選択セルでアドレッシングのための対向放電が起きる。アドレッシングに関係する電位の具体例は次のとおりである。
Ｖｘａ：３０ボルト
Ｖｙｈ：−１７０ボルト
Ｖｙ：  −２９０ボルト
Ｖａ：  １００ボルト【００３４】
ｎ番目のサブフレームに割り当てられたサステイン期間ＴＳにおいては、波高値Ｖｓの正極性のサステインパルスを第１電極１１と第２電極１２とに交互に印加する。例示では最初にサステインパルスが印加されるのは第２電極１２であり、最後に印加されるのは第１電極１１である。波高値Ｖｓは面放電開始電圧Ｖｆ１よりも低い（｜Ｖｓ｜＜｜Ｖｆ１｜）。重要なのはサステイン期間ＴＳ全体にわたって第３電極１３が接地電位に保たれることである。サステインパルスを印加したときの陽極は正電位で陰極は接地電位であるので、第３電極１３の電位は第１電極１１の電位および第２電極１２の電位よりも低いかまたは同じである。このことが第２の絶縁体３４における正電荷の形成に寄与する。そして、波高値Ｖｓが対向放電開始電圧Ｖｆ２よりも大幅に低いので、第２電極１２と第３電極１３との間および第１電極１１と第３電極１３との間の対向放電は生じない。波高値Ｖｓは例えば２９０ボルトである。【００３５】
（ｎ＋１）番目のサブフレームに割り当てられたリセット期間ＴＲにおいては、第１電極１１と第２電極１２との間にランプ波電圧を計２回印加する。１回目の電圧印加においては、第１電極１１を電位Ｖｘｗにバイアスし、第２電極１２の電位を接地電位から電位Ｖｙｗへ変化させ、第３電極１３を電位Ｖａｗにバイアスする。第１電極１１と第２電極１２との間の駆動電圧は面放電開始電圧Ｖｆ１よりも高い。したがって、直前のサステインでの点灯／非点灯に係わらず全てのセルで微小放電が生じる。２回目の電圧印加においては、第１電極１１を電位Ｖｘａにバイアスし、第２電極１２の電位を接地電位から電位Ｖｙｎへ変化させる。【００３６】
リセットに関係する電位の具体例は次のとおりである。
Ｖｘｗ：−８０ボルト
Ｖｙｗ：３６０ボルト
Ｖａｗ：０〜１００ボルト
Ｖｘａ：３０ボルト【００３７】
リセット期間ＴＲの電極電位制御において重要なことは、第３電極１３が関与する対向放電を生じさせないことである。第１電極１１と第２電極１２との間で面放電が生じる条件は｜Ｖｙｗ＋Ｖｘｗ｜＞｜Ｖｆ１｜である。そして。第２電極１２と第３電極１３との間で対向放電が生じない条件は｜Ｖｙｗ＋Ｖａｗ｜＜｜Ｖｆ２｜である。【００３８】
なお、電位Ｖａｗを図中に鎖線で示すようにアドレス電位Ｖａと同一にすれば、第３電極１３のドライバの回路構成を簡素化することができる。【００３９】
以上の駆動波形によれば、サステインにおける最後の面放電の陽極が第１電極１１であるので、面放電ギャップの第１電極１１の側が負で第２電極１２の側が正の帯電状態でリセットが開始される。このことは、リセットにおける駆動電圧の低電圧化に有効である。【００４０】
図６は駆動電圧波形の変形例を示す。サステイン期間ＴＳにおいて、第１電極１１に対するサステインパルスＰｓの印加に同期させて、第３電極１３にパスルＰｓａを印加する。パルスＰｓａの極性はサステインパルスＰｓの極性と同一である。つまり、パルスＰｓａは、サステインパルスＰｓを印加したときの第１電極１１と第３電極１３との間の電圧を低減する。これにより、第３電極１３を覆う絶縁体３４において、第１電極１１と対向する部分よりも第２電極１２と対向する部分に相対的に多くの正電荷が蓄積する。アドレッシングにおける第２電極１２と第３電極１３との間の対向放電が局所化され、放電拡散によるアドレスミスの発生確率が下がる。【００４１】
以上の駆動方法は、表示管からなる表示装置だけでなく、図７が示すプラズマディスプレイパネルにも適用可能である。【００４２】
図７において、プラズマディスプレイパネル２は、ガラス基板上にセル構成要素を設けた一対の板状体からなり、面放電開始電圧よりも対向放電開始電圧が高い３電極面放電構造のセルの集合を有する。前面側のガラス基板４１の内面に２本１組の表示電極Ｘ（第１電極）および表示電極Ｙ（第２電極）がマトリクス表示の１行に１組ずつ配置される。表示電極Ｘ，Ｙは、面放電ギャップを形成する透明導電膜７１とその端縁部に重ねられた金属膜７２とからなり、二酸化珪素からなる誘電体層４７およびマグネシアからなる保護膜４８で被覆されている。背面側のガラス基板５１の内面にはアドレス電極Ａが１列に１本ずつ配置される。アドレス電極Ａは誘電体層４４で被覆され、誘電体層４４の上に放電空間を列毎に区画する隔壁５９が設けられる。誘電体層４４の表面および隔壁５９の側面はカラー表示のための蛍光体層５８Ｒ，５８Ｇ，５８Ｂによって被覆される。図中の斜体文字（Ｒ，Ｇ，Ｂ）は蛍光体の発光色を示す。色配列は各列のセルを同色とするＲ，Ｇ，Ｂの繰り返しパターンである。蛍光体層５８Ｒ，５８Ｇ，５８Ｂは、放電ガスが放つ紫外線によって局部的に励起されて発光する。
【産業上の利用可能性】
【００４３】
本発明は、輝度の向上に有利な広い放電ガス空間をもつ３電極面放電型の放電セルによる画像表示に適用することができ、対向電極間隙の拡大が容易な放電管からなる表示装置および十分に大きい対向電極間隙をもつよう設計されたプラズマディスプレイパネルの駆動に好適である。
【図１】
0004083198.tif 000002
【図２】
0004083198.tif 000003
【図３】
0004083198.tif 000004
【図４】
0004083198.tif 000005
【図５】
0004083198.tif 000006
【図６】
0004083198.tif 000007
【図７】
0004083198.tif 000008